(57)【要約】【課題】地域に密着した情報をより多くの消費者に提供でき、消費者が配布物の内容を確認せず廃棄することを低減できるポスティングシステムの提供。【解決手段】ＵＲＬ参照手段と嗜好性情報記載部を有するポスティング用配布物を備え、前記嗜好性情報記載部の嗜好性情報は懸賞情報又はプレゼント情報とし、ウェブサーバ上に、前記懸賞情報、ポスティング依頼者サイトへのリンク手段、及びポスティング地域情報サイトへのリンク手段のうち一つ以上を備えるウェブページを有し、前記ＵＲＬ参照手段が参照するＵＲＬは前記ウェブページのＵＲＬとし、受取人側携帯端末は参照ＵＲＬ読取手段を備え、前記受取人側携帯端末の参照ＵＲＬ読取手段により前記ポスティング用配布物のＵＲＬ参照手段を介して前記携帯端末が前記ウェブサーバ上に接続され、前記ウェブサーバが、受取人側携帯端末に、懸賞情報等を表示させるポスティングシステム。【選択図】図１
2013246800.tif 000002
【特許請求の範囲】
【請求項１】
ＵＲＬ参照手段と嗜好性情報記載部を有するポスティング用配布物を備え、前記嗜好性情報記載部に記載される嗜好性情報は懸賞情報若しくはプレゼント情報とし、
インターネットに接続されたウェブサーバは、前記懸賞情報若しくはプレゼント情報、ポスティング依頼者サイトへのリンク手段、及びポスティング地域情報サイトへのリンク手段の少なくとも一つ以上を備えるウェブページを有し、
前記ポスティング用配布物におけるＵＲＬ参照手段が参照するＵＲＬは、前記ウェブページのＵＲＬとし、
受取人側携帯端末は参照ＵＲＬ読取手段を備え、前記受取人側携帯端末の参照ＵＲＬ読取手段により前記ポスティング用配布物のＵＲＬ参照手段を介して前記携帯端末が前記ウェブサーバ上に接続され、
前記ウェブサーバが、前記受取人側携帯端末に、前記懸賞情報若しくはプレゼント情報、ポスティング依頼者サイトへのリンク手段、若しくはポスティング地域情報を表示させることを特徴とするポスティングシステム。
【請求項２】
ウェブサーバと一体若しくは別体となる懸賞サーバを備え、
該懸賞サーバは申込情報を使用した抽選手段を備え、
受取人側携帯端末の懸賞情報に対応する申込情報を受信した前記懸賞サーバが申込情報に基づき抽選を行い、
抽選結果をウェブサーバ上に表示させ、及び／又は抽選結果データを受取人側携帯端末に送信することを特徴とする請求項１記載のポスティングシステム。
【請求項３】
前記ホストコンピュータ若しくはデータベースサーバは、前記受取人側携帯端末が送信した申込情報を取得して、顧客情報データベースとして保持し、受取人の嗜好性に応じた嗜好性情報を、受取人側携帯端末へ送信することを特徴とする請求項１又は２記載のポスティングシステム。
【請求項４】
ポスティング位置情報及びポスティング完了情報を取得して、インターネットを経由して配布依頼者用端末へ送信可能なポスティングシステムにおいて、
少なくともＵＲＬ参照手段と嗜好性情報記載部を有するポスティング用配布物の集合体を配布物集合体とし、
画像撮影手段を備えるポスティング側移動通信端末と、前記配布物集合体と、これらを保持する保持部とを備えてなる通信配布手段を備え、
通信配布手段は、画像撮影手段により取得される画像情報を、インターネットを介して、前記ホストコンピュータ、ウェブサーバ若しくはデータベースサーバに送信し、
基地局は、インターネットを介して前記通信配布手段のポスティング位置情報を、前記ホストコンピュータ、ウェブサーバ若しくはデータベースサーバに送信し、
ホストコンピュータが前記画像情報及び位置情報を、ポスティング地域情報データベースに追加し、ウェブサーバ上のポスティング地域情報を追加若しくは更新することを特徴とする請求項１、２又は３記載のポスティングシステム。
【請求項５】
請求項１、２、３又は４記載のポスティングシステムにおいて使用され、少なくともＵＲＬ参照手段と嗜好性情報記載部を有するポスティング用配布物の集合体を配布物集合体とし、画像撮影手段を備えるポスティング側移動通信端末と、前記配布物集合体と、これらを保持する保持部とを備えてなる通信配布手段。
【発明の詳細な説明】
【技術分野】
【０００１】
本発明は、主としてインターネットを利用したポスティングシステムと、該ポスティングシステムによって使用される通信配布手段、並びに、前記ポスティングシステムにおいて配布される広告等を含むポスティング配布物に関するものである。
【背景技術】
【０００２】
一般家庭向けの新聞の配達時に、その地域の各種業者の折り込み広告を併せて配布することがよく行われる。この折り込み広告は有償の新聞とともに消費者に配布されるため消費者が目を通すことも多い。また、当該折り込み広告による集客効果が得られることもある。
【０００３】
ところが、近年、インターネットの普及により、リアルタイムに時事情報が消費者へ伝達されるようになり、情報提供媒体である新聞の発行部数は低下を余儀なくされている。
これに伴って折り込み広告を新聞とともに配布できる戸数は減少しており、多くの消費者に新聞の配布とともに広告を行うことが難しくなりつつある。
【０００４】
一方で、新聞とは別に各戸に配布される広告がある。このような広告は消費者宅の郵便受けに配布（ポスティング）されるが、受取人である消費者が配布物の内容を確認することなく廃棄することも多い。それでもポスティングの需要は多く存在し、現在でも多数の折り込み広告がポスティングされる。
【０００５】
上記のように、多くの消費者に新聞とともに広告をすることが困難になりつつある現状において、広告配布の需要はあるものの、地域の情報をより多くの消費者に提供する手段が失われる傾向にあり、より有効な、新たな広告配布の手段が望まれている。
【０００６】
ポスティングにおいてインターネットを利用することを開示する文献としては、例えば、携帯端末を含む情報端末からインターネット経由で運用サーバにアクセスして配布依頼に基づいて配布員が依頼物の配布を行うポスティング業務の情報を運用管理するポスティング業務運用支援システムであって、前記運用サーバは、配布単位となる地域毎の地図情報と前記携帯端末を持つ配布員の情報と配布依頼の受注情報と配布状況とをデータベースで管理し、前記携帯端末から地域別に配布完了により配布状況の入力を行い、依頼者の前記情報端末に対する配布状況の提示を行うように構成したことを特徴とするポスティング業務運用支援システム（例えば、特許文献１参照。）が公知である。
【０００７】
また、二次元バーコードを含む広告媒体やクーポンを一部透明な封筒に収納してポスティングされる広告紙媒体として、例えば、複数の店舗の広告を掲載した広告紙媒体において、前記店舗に関するウェブページのＵＲＬ（Ｕｎｉｆｏｒｍ  Ｒｅｓｏｕｒｃｅ  Ｌｏｃａｔｏｒ）を表す二次元バーコードが前記複数の店舗のうちの一部又は全部の店舗の広告ごとに表示されたものであることを特徴とする広告紙媒体（例えば、特許文献２参照。）が公知である。
【先行技術文献】
【特許文献】
【０００８】
【特許文献１】特開２００４−１１８６３１号公報
【特許文献２】実用新案登録第３１５６２７６号公報
【発明の概要】
【発明が解決しようとする課題】
【０００９】
上記特許文献１によれば、ポスティング依頼者と配布者との関係においてインターネットを利用し、効率的なポスティングと依頼者の利便性を向上させる点では一定の利益があると考えられるが、ポスティングの受取人（消費者）に対しては何ら関係がなく、受取人が配布物の内容を確認することなく廃棄する点においては、何ら、改善できるものではなかった。
【００１０】
上記特許文献２によれば、二次元バーコードを店舗ごとのウェブサイトへ誘導する構成を開示するが、ウェブサイトの広告にとどまるものであり、例えば、上記特許文献１のポスティング業務運用支援システムとの組合せたとしても、何らポスティングの管理とウェブサイトの広告は、相乗的な効果を発揮し得えず、ポスティングに関してインターネットを十分に活用できなかった。
【００１１】
本発明は以上の事情に鑑みてなされたものであり、ポスティング広告に限ることなく、地域に密着した情報をより多くの消費者に提供でき、消費者がポスティング配布物をその場で即廃棄することを低減でき、より多くの消費者がインターネットを通じて活用しやすい、優れたポスティングシステムの提供を、課題を解決するための手段とする。
【課題を解決するための手段】
【００１２】
本発明は、ＵＲＬ参照手段と嗜好性情報記載部を有するポスティング用配布物を備え、前記嗜好性情報記載部に記載される嗜好性情報は懸賞情報若しくはプレゼント情報とし、インターネットに接続されたウェブサーバは、前記懸賞情報若しくはプレゼント情報、ポスティング依頼者サイトへのリンク手段、及びポスティング地域情報サイトへのリンク手段の少なくとも一つ以上を備えるウェブページを有し、前記ポスティング用配布物におけるＵＲＬ参照手段が参照するＵＲＬは、前記ウェブページのＵＲＬとし、受取人側携帯端末は参照ＵＲＬ読取手段を備え、前記受取人側携帯端末の参照ＵＲＬ読取手段により前記ポスティング用配布物のＵＲＬ参照手段を介して前記携帯端末が前記ウェブサーバ上に接続され、前記ウェブサーバが、前記受取人側携帯端末に、前記懸賞情報若しくはプレゼント情報、ポスティング依頼者サイトへのリンク手段、若しくはポスティング地域情報を表示させることを特徴とするポスティングシステムを、上記課題を解決するための手段とする。
【００１３】
また、本発明は、上記ポスティングシステムにおいて、ウェブサーバと一体若しくは別体となる懸賞サーバを備え、該懸賞サーバは申込情報を使用した抽選手段を備え、受取人側携帯端末の懸賞情報に対応する申込情報を受信した前記懸賞サーバが申込情報に基づき抽選を行い、抽選結果をウェブサーバ上に表示させ、及び／又は抽選結果データを受取人側携帯端末に送信することを特徴とするポスティングシステムを、上記課題を解決するための手段とする。
【００１４】
また、本発明は、上記いずれかのポスティングシステムにおいて、前記ホストコンピュータ若しくはデータベースサーバは、前記受取人側携帯端末が送信した申込情報を取得して、顧客情報データベースとして保持し、受取人の嗜好性に応じた嗜好性情報を、受取人側携帯端末へ送信することを特徴とする請求項１又は２記載のポスティングシステムを、課題を解決するための手段とする。
【００１５】
また、本発明は、上記いずれかのポスティングシステムであって、ポスティング位置情報及びポスティング完了情報を取得して、インターネットを経由して配布依頼者用端末へ送信可能なポスティングシステムにおいて、少なくともＵＲＬ参照手段と嗜好性情報記載部を有するポスティング用配布物の集合体を配布物集合体とし、画像撮影手段を備えるポスティング側移動通信端末と、前記配布物集合体と、これらを保持する保持部とを備えてなる通信配布手段を備え、通信配布手段は、画像撮影手段により取得される画像情報を、インターネットを介して、前記ホストコンピュータ、ウェブサーバ若しくはデータベースサーバに送信し、基地局は、インターネットを介して前記通信配布手段のポスティング位置情報を、前記ホストコンピュータ、ウェブサーバ若しくはデータベースサーバに送信し、
ホストコンピュータが前記画像情報及び位置情報を、ポスティング地域情報データベースに追加し、ウェブサーバ上のポスティング地域情報を追加若しくは更新することを特徴とするポスティングシステムを、課題を解決するための手段とする。
【００１６】
また、本発明は、上記いずれかのポスティングシステムにおいて使用するポスティング用配布物であって、透明若しくは半透明の袋体と、該袋体に収納される広告媒体とを備え、前記広告媒体は複数の広告紙と該広告紙を挟むカバーとを備え、前記カバーには、嗜好性情報を記載した嗜好性情報記載部とＵＲＬ参照手段を備え、前記袋体を通して前記カバーに付された嗜好性情報及び前記ＵＲＬ参照手段が外部から読み取り可能であることを特徴とするポスティング用配布物を、上記課題を解決するための手段とする。
【００１７】
また、本発明は、上記いずれかのポスティングシステムにおいて使用され、少なくともＵＲＬ参照手段と嗜好性情報記載部を有するポスティング用配布物の集合体を配布物集合体とし、画像撮影手段を備えるポスティング側移動通信端末と、前記配布物集合体と、これらを保持する保持部とを備えてなる通信配布手段を、上記課題を解決するための手段とする。
【発明の効果】
【００１８】
請求項１に係る発明によれば、ＵＲＬ参照手段と嗜好性情報記載部を有するポスティング用配布物を備え、前記嗜好性情報記載部に記載される嗜好性情報は懸賞情報若しくはプレゼント情報とし、インターネットに接続されたウェブサーバ上に、前記懸賞情報若しくはプレゼント情報、ポスティング依頼者サイトへのリンク手段、及びポスティング地域情報サイトへのリンク手段の少なくとも一つ以上を備えるウェブページを有し、前記ポスティング用配布物におけるＵＲＬ参照手段が参照するＵＲＬは、前記ウェブページのＵＲＬとし、受取人側携帯端末は参照ＵＲＬ読取手段を備え、前記受取人側携帯端末の参照ＵＲＬ読取手段により前記ポスティング用配布物のＵＲＬ参照手段を介して前記携帯端末が前記ウェブサーバ上に接続され、前記ウェブサーバが、前記受取人側携帯端末に、前記懸賞情報若しくはプレゼント情報、ポスティング依頼者サイトへのリンク手段、若しくはポスティング地域情報を表示させることを特徴とするポスティングシステムとしたことから、懸賞情報若しくはプレゼント情報により受取人が未読のまま廃棄する可能性を低減し、ウェブサーバ上に併せてポスティング地域情報サイトを表示することで、ポスティングの枠を超えて、地域の有益な情報をより多くの消費者に提供することができる。
【００１９】
請求項２に係る発明によれば、上記請求項１に係る発明の構成を備えた上で、ウェブサーバと一体若しくは別体として懸賞サーバを備え、該懸賞サーバは申込情報を使用した抽選手段を備え、受取人側携帯端末は、前記懸賞サーバに、前記懸賞情報に対応する申込情報を送信し、懸賞サーバが申込情報に基づき抽選を行い、抽選結果をウェブサーバ上に表示させ、及び／又は抽選結果データを受取人側携帯端末に送信するものとしたことから、上記請求項１に係る発明の作用効果を奏する上に、受取人は直接店舗を訪れることなく容易に抽選の結果が確認でき、非常に便利であるとともに、本システムの利用を促進することができる。
【００２０】
請求項３に係る発明によれば、上記請求項１又は請求項２に係る発明の構成を備えた上で、前記ホストコンピュータ若しくはデータベースサーバは、前記受取人側携帯端末が送信した申込情報を取得して、顧客情報データベースとして保持し、受取人の嗜好性に応じた嗜好性情報を、受取人側携帯端末へ送信することから、上記請求項１又は請求項２に係る発明の作用効果を奏する上に、受取人の便宜に資することができる。
【００２１】
請求項４に係る発明によれば、上記請求項１、２又は３に係る発明の構成を備えた上で、ポスティング位置情報及びポスティング完了情報を取得して、インターネットを経由して配布依頼者用端末へ送信可能なポスティングシステムにおいて、少なくともＵＲＬ参照手段と嗜好性情報記載部を有するポスティング用配布物の集合体を配布物集合体とし、画像撮影手段を備えるポスティング側移動通信端末と、前記配布物集合体と、これらを保持する保持部とを備えてなる通信配布手段を備え、通信配布手段は、画像撮影手段により取得される画像情報を、インターネットを介して、前記ホストコンピュータ、ウェブサーバ若しくはデータベースサーバに送信し、基地局は、インターネットを介して前記通信配布手段のポスティング位置情報を、前記ホストコンピュータ、ウェブサーバ若しくはデータベースサーバに送信し、ホストコンピュータが前記画像情報及び位置情報を、ポスティング地域情報データベースに追加し、ウェブサーバ上のポスティング地域情報を追加若しくは更新する構成としたことから、上記請求項１、２又は３に係る発明の作用効果を奏する上に、受取人側携帯端末には、常に最新のポスティング地域情報を表示することができ、より一層、地域の有益な情報をより多くの消費者に提供することができる。
【００２２】
請求項５に係る発明によれば、上記請求項１、２、３又は４記載のポスティングシステムにおいて使用され、少なくともＵＲＬ参照手段と嗜好性情報記載部を有するポスティング用配布物の集合体を配布物集合体とし、画像撮影手段を備えるポスティング側移動通信端末と、前記配布物集合体と、これらを保持する保持部とを備えてなる通信配布手段としたことから、ポスティング手段として機能することは勿論、基地局による位置情報の取得及び位置情報の変更に対応した画像情報の送信により、ウェブサーバへのウェブサーバ上のポスティング地域情報を追加若しくは更新する構成を実現し、地域情報の提供を併せて行うことができる。
【図面の簡単な説明】
【００２３】
【図１】本発明の実施例に係るポスティングシステムの全体構成を示す説明図。
【図２】本発明の実施例に係るポスティング用配布物の（ａ）正面側斜視図、（ｂ）背面側斜視図。
【発明を実施するための形態】
【００２４】
二次元バーコード（例えばＱＲコード（登録商標））と懸賞情報と公共情報を表示したポスティング用配布物を備え、インターネットに接続されたウェブサーバのウェブページに、前記懸賞情報のアンケート手段、ポスティング依頼者サイトへのリンク手段、及びポスティング地域情報サイトへのリンク手段を備え、前記ポスティング用配布物における二次元バーコードは前記ウェブページのＵＲＬを参照し、受取人側携帯端末は二次元バーコード読取手段（参照ＵＲＬ読取手段）を備え、これにより前記ポスティング用配布物のＵＲＬ参照手段を介して前記携帯端末がウェブサーバ上に接続され、前記ウェブサーバが、前記受取人側携帯端末に、前記懸賞情報、ポスティング依頼者サイトへのリンク手段、及びポスティング地域情報を表示させるものとし、前記ポスティング地域情報は、基地局及びポスティング側移動通信端末から送信される情報に更新若しくは追加されるものとしたから、懸賞情報により受取人が未読のまま廃棄する可能性を低減し、ウェブサーバ上に併せて有益なポスティング地域情報サイトを表示することで、ポスティングの枠を超えて、地域の有益な情報をより多くの消費者に提供することができる、優れたポスティングシステムを実現した。
【実施例】
【００２５】
本実施例に係るポスティングシステムは、図１に示すように、インターネットＷを介して構築されるポスティングシステムであり、前記ポスティング用配布物１１ａの集合体である配布物集合体１１とマイクロセル方式移動通信端末であるポスティング側移動通信端末１０とこれらを着脱自在に保持する保持部１２とを備えてなる通信配布手段１と、インターネットＷに接続されるサーバ群と、受取人側携帯端末６と、前記ポスティング側移動通信端末１０の位置情報を取得する基地局４を構成要素としたものである。
【００２６】
前記サーバ群の構成、配置は限定されないが、一例としては、例えば図１に示すように、公開セグメントにウェブサーバ３０、懸賞サーバ３２等を配置し、内部セグメントにデータベースサーバ３１、ホストコンピュータ２等を配置している。
また、前記サーバ群には、懸賞プログラムを有するサーバ若しくはウェブサーバ３０に接続される懸賞プログラムを有するサーバ（以下、懸賞サーバ）が含まれる。尚、懸賞サーバの配置箇所は、自由に設定することができる。
【００２７】
配布者が保持する通信配布手段１におけるマイクロセル方式移動通信端末（ポスティング側移動通信端末１０）は、画像撮影手段１４を有する。また当該マイクロセル方式移動通信端末は、前記画像撮影手段１４により取得した画像をインターネットＷを通じて前記サーバ群に対して送信可能な構成である。
また、マイクロセル方式の利用により基地局４はポスティング側移動通信端末１０の位置情報Ｄ１、即ち、通信配布手段１の位置を取得することができる。
【００２８】
本発明の実施例に係るポスティング用配布物は、図１（ａ）（ｂ）に示すように、複数の広告紙１４を重合した状態で二つ折りの紙製のカバーで挟持し、これを透明な合成樹脂製シートからなる袋体２３に収納密封した構成である。
【００２９】
本実施例における広告紙にはポスティング依頼者が提供する情報が記載されている。
本実施例におけるカバー１４は前記したように二つ折りの紙製のカバー１４であり、本実施例においては、一方の外面には、標章表示部１１ｄと、嗜好性情報表示部１１ｃが設けられており、他方の外面には、公共情報等が記載された公益情報表示部１１ｅが設けられている。本実施例における嗜好性情報表示部１１ｃにおける嗜好性情報は、懸賞情報である。また嗜好性情報表示部１１ｃにＵＲＬ参照手段１１ｂである二次元バーコードを設けている。勿論当該ＵＲＬ参照手段１１ｂは、嗜好性情報表示部１１ｃに重ねて表示してもよいし、当該嗜好性情報表示部１１ｃに並べて設ける等することもできる。
【００３０】
本実施例における標章表示部１１ｄは、社名やポスティング用配布物１１ａの題号等、特に法令に反しない限り、限定するものではない。標章の継続的な使用によって、知名度や信用が高まるほど、未読のままで廃棄される可能性は低下し、より多くの受取人に対して広告機能を発揮することができる。
【００３１】
本実施例に係る袋体２３は、耐水性を有する透明な合成樹脂製フィルムからなり、開口部にフラップを有し、フラップの内面には剥離可能な接着剤が塗布されている。袋体２３の材料は特に限定しないが、透明若しくは半透明で、収納されるカバー１４の外面に印刷された表示が読み取れるものであればよい。少なくともＵＲＬ参照手段が表示される部分については、一般的な携帯端末に付属する参照ＵＲＬ読取手段を用いて、袋体２３の外側から該袋体２３を介して読み取ることが可能であることが必要である。
その他の部分については、受取人に対しての広告効果が生じれば足りるから、目視においてカバー１４の表面の表示（文字や標章等）が認識できればよい。
【００３２】
受取人側携帯端末６は、受取人が保持する携帯端末であり、参照ＵＲＬ読取手段を有し、インターネットＷに接続可能な携帯端末である。
【００３３】
依頼者側携帯端末５は、ポスティング依頼者が保持する携帯端末であり、インターネットＷに接続可能な携帯端末である。
【００３４】
インターネットＷに接続されるサーバ群のうちウェブサーバ３０は、前記ポスティング用配布物１１ａのＵＲＬ参照手段１１ｂで参照先となるＵＲＬのウェブページを有する。
当該ウェブページは、アンケート手段、及び、ポスティング依頼者サイトへのリンク手段を備えている。前記リンク手段にはバナーが含まれる。またアンケート手段は、懸賞情報若しくはプレゼント情報の一部である。
【００３５】
また、ウェブサーバ３０におけるウェブページは、地域情報の表示又は地域情報へのリンク手段を表示する地域情報表示部を備えている。
【００３６】
以上の構成を備えるポスティングシステムは、以下の手順により機能する。
（１：基地局による位置情報の送信）
ポスティング側移動通信端末１０を有する通信配布手段１の位置に応じて、基地局４がその位置情報Ｄ１を記録する。公知のマイクロセル方式を利用するため、ＧＰＳを用いることなく、基地局４は通信配布手段１の位置を把握する。基地局４は、取得した当該位置情報Ｄ１を、インターネットＷを介してサーバ群に送信する。
【００３７】
サーバ群におけるホストコンピュータ２若しくはデータベースサーバ３１は、前記位置情報Ｄ１を格納する。
【００３８】
ポスティング側移動通信端末１０は、画像撮影手段１４によって取得された画像の情報を、インターネットＷを介してサーバ群に送信する。画像情報Ｄ２は、主として画像データであるが、文字情報等を含んでいてもよい。
【００３９】
サーバ群におけるホストコンピュータ２若しくはデータベースサーバ３１は前記画像情報Ｄ２を格納する。
【００４０】
ホストコンピュータ２は、受信された上記位置情報Ｄ１及び画像情報Ｄ２を参照し、ウェブサーバ３０におけるウェブページの地域情報表示部の該当する位置の情報として画像情報Ｄ２を、ウェブサーバ３０に表示若しくは更新させる。
【００４１】
次に、受取人側携帯端末６は、実施例に係るポスティング配布物の前記二次元バーコードによりウェブサーバ３０にアクセスし、表示画面に前記ウェブサーバ３０のウェブページを表示させる。前記したように、当該ウェブページは、アンケート手段、及び、ポスティング依頼者サイトへのリンク手段、地域情報の表示又は地域情報へのリンク手段を表示する地域情報表示部を備えている。このため受取人側携帯端末６にはこれらのリンク手段や表示部が表示される。
【００４２】
前記アンケート手段に記載された申込情報を、ウェブサーバ３０がホストコンピュータ２若しくはデータベースサーバ３１に対して送信する。申込情報Ｄ３は、例えば、居住区、性別、氏名、メールアドレス等を含むことができる。
【００４３】
ウェブサーバ３０若しくはこれに接続される懸賞サーバ３２は、受取人側携帯端末６におけるメールアドレスその他これに類する識別記号を参照する抽選プログラムを実行して抽選を行う。そして得られた結果である当選、落選の別、当選の場合の等級、内容等を、インターネットＷを介して、受取人側携帯端末６へ送信する。
【００４４】
この際に、懸賞サーバ３２若しくはウェブサーバ３０は、当該懸賞サーバ３２若しくは接続される他のサーバから関連情報（例えば、ポスティング依頼者の広告等）を前記結果とともに受取人側携帯端末６に送信することができる。
【００４５】
また、本実施例においては、３分から５分程度の一定時間おきに基地局４がマイクロセル方式移動通信端末であるポスティング側移動通信端末１０から位置情報Ｄ１を取得することで、ポスティング位置を管理することができる。
これによって、基地局４がポスティング最終位置での位置情報Ｄ１の取得したことで、インターネットＷを介してポスティングの依頼者側携帯端末５へポスティングの終了情報を送信することもできる。
【００４６】
また、位置情報Ｄ１を一定時間おきに取得することで、ポスティングを行う配布者が不正にポスティング用配布物１１ａを破棄することを防止する効果を得ることができる。
【００４７】
以上のように、本実施例を示したが、本発明は、上記実施例に限定されるものではない。
例えば、保持部１２の形態は特に限定するものではなく、例えば、箱等の容器とすることもできるし、シート状若しくは帯状等の形状として、ポスティング側移動通信端末１０と配布物集合体１１とを一体に保持するものとすることもできる。
【００４８】
また、上記実施例ではサーバ群を示したが、必ずしもサービス（データベース、ウェブ、抽選等）の各機能について専用のサーバを設ける必要はなく、複数のサービスを一台のコンピュータで行うこともできる。また、ホストコンピュータ２にサーバの機能を兼用させることもできる。
【符号の説明】
【００４９】
１      通信配布手段
１０    マイクロセル方式移動通信端末（ポスティング側移動通信端末）
１１    配布物集合体
１１ａ  ポスティング用配布物
１１ｂ  ＵＲＬ参照手段
１１ｃ  嗜好性情報表示部
１１ｄ  標章表示部
１１ｅ  公益情報表示部
１２    保持部
１４    カバー
１５    画像撮影手段
１６    袋体
１７    広告紙
２      ホストコンピュータ
３０    ウェブサーバ
３１    データベースサーバ
３２    懸賞サーバ
４      基地局
５      依頼者側携帯端末
６      受取人側携帯端末
Ｄ１    位置情報
Ｄ２    画像情報
Ｄ３    申込情報
Ｗ      インターネット
【図１】
2013246800.tif 000003
【図２】
2013246800.tif 000004